(57)【特許請求の範囲】
【請求項１】
入力画像データから該画像データに応じた画像の特徴を示すフラグデータを生成する生成手段と、
前記入力画像データと前記フラグデータに対して異なる手法を用いて圧縮する圧縮手段と、
前記圧縮された画像データおよび前記圧縮されたフラグデータを記憶する画像データ記憶手段と、
前記記憶手段に記憶された前記圧縮された画像データおよび前記圧縮されたフラグデータを伸長する伸長手段と、
前記伸長された画像データおよび前記伸長されたフラグデータに対して異なる手法を用いて解像度変換を行う解像度変換手段と、
前記解像度変換された画像データに対して、前記解像度変換されたフラグデータに応じた画像処理を行なう画像処理手段とを有することを特徴とする画像処理装置。
【請求項２】
さらに、前記入力画像データに対して前記フラグデータに応じた入力画像処理を行う入力画像処理手段を有し、
前記圧縮手段は、前記入力画像処理手段により入力画像処理された画像データを圧縮し、
前記入力画像処理手段は、文字領域の入力画像データに対して高周波成分を強調する処理を行い、網点領域の入力画像データに対してローパスフィルタ処理を行うことを特徴とする請求項１記載の画像処理装置。
【請求項３】
前記圧縮手段は、前記画像データに対して非可逆圧縮を行い、前記フラグデータに対して可逆圧縮を行うことを特徴とする請求項１記載の画像処理装置。
【請求項４】
前記解像度変換手段は、前記伸長された画像データに対して線形補間法またはスプライン補間法を用いて解像度変換することを特徴とする請求項１記載の画像処理装置。
【請求項５】
前記解像度変換手段は、前記フラグデータに対して最近傍処理法を用いて解像度変換することを特徴とする請求項１記載の画像処理装置。
【請求項６】
さらに、前記伸長された画像データを保持する画像データメモリと、
前記伸長されたフラグデータを保持するフラグデータメモリとを有し
複数ページの入力画像データを１枚の出力画像上にレイアウト合成する場合、前記解像度変換手段において前記伸長された画像データおよび前記伸長されたフラグデータに対して縮小変換し、回転を行い、前記画像データメモリおよび前記フラグデータメモリに格納することを特徴とする請求項１記載の画像処理装置。
【請求項７】
入力画像データから該画像データに応じた画像の特徴を示すフラグデータを生成する生成工程と、
前記入力画像データと前記フラグデータに対して異なる手法を用いて圧縮する圧縮工程と、
前記圧縮された画像データおよび前記圧縮されたフラグデータを記憶部に記憶する画像データ記憶工程と、
前記記憶部に記憶された前記圧縮された画像データおよび前記記憶された圧縮されたフラグデータを伸長する伸長工程と、
前記伸長された画像データおよび前記伸長されたフラグデータに対して異なる手法を用いて解像度変換を行う解像度変換工程と、
前記解像度変換された画像データに対して、前記解像度変換されたフラグデータに応じた画像処理を行なう画像処理工程とを有することを特徴とする画像処理装置。
【請求項８】
請求項７記載の画像処理方法を実現するためのプログラムがコンピュータが読み取り可能に記憶された記憶媒体。
【発明の詳細な説明】
【０００１】
【発明の属する技術分野】
本発明は、入力画像データの画像特徴に応じた画像処理を行うものに関する。
【０００２】
【従来の技術】
従来、カラー原稿画像をデジタル的に読みとって複写画像を生成するシステムとして図７に示すようないわゆるカラー原稿複写装置が知られている。
【０００３】
図７において、１００１はイメージスキャナー部であり、原稿を読み取り、デジタル信号処理を行う部分である。また、１００２は、プリンタ部であり、イメージスキャナー１００１によって読み取られた原稿画像に対応した画像を用紙にフルカラーでプリント出力する部分である。
【０００４】
イメージスキャナー１００１において、１０００は鏡面圧板であり、原稿台ガラス（以下プラテン）１００３上の原稿１００４は、ランプ１００５で照射され、ミラー１００６、１００７、１００８に導かれ、レンズ１００９によって、３ラインの個体撮像素子センサ（以下ＣＣＤ）１０１０上に像を結び、フルカラー情報としてのレッド（Ｒ），グリーン（Ｇ），ブルー（Ｂ）の３つの画像信号が信号処理部１０１１に送られる。なお、１００５、１００６は速度ｖで、１００７、１００８は速度１／２ｖでラインセンサの電気的走査（主走査）方向に対して垂直方向に機械的に動くことによって、原稿全面を走査（副走査）する。ここで、原稿１００４は、主走査および副走査ともに４００ｄｐｉ（ｄｏｔｓ／ｉｎｃｈ）の解像度で読みとられる。
【０００５】
信号処理部１０１１においては、読み取られた画像信号を電気的に処理し、マゼンタ（Ｍ），シアン（Ｃ），イエロ（Ｙ），ブラック（Ｂｋ）の各成分に分解し、プリンタ部１００２に送る。また、イメージスキャナ１００１における一回の原稿走査につき、Ｍ、Ｃ、Ｙ、Ｂｋのうちひとつの成分がプリンタ部１００２に送られ、計４回の原稿走査によって、一回のプリントアウトが完成する。
【０００６】
イメージスキャナ部１００１より送られてくるＭ，Ｃ，Ｙ，Ｂｋの各画像信号は、レーザードライバー１０１２に送られる。レーザードライバー１０１２は、送られてきた画像信号に応じ、半導体レーザー１０１３を変調駆動する。レーザー光は、ポリゴンミラー１０１４、ｆ−θレンズ１０１５、ミラー１０１６を介し、感光ドラム１０１７上を走査する。ここで、読取と同様に主走査および副走査ともに４００ｄｐｉ（ｄｏｔｓ／ｉｎｃｈ）の解像度で書込まれる。
【０００７】
１０１８は回転現像器であり、マゼンタ現像部１０１９、シアン現像部１０２０、イエロ現像部１０２１、ブラック現像部１０２２より構成され、４つの現像部が交互に感光ドラム１０１７に接し、感光ドラム上に形成された静電現像をトナーで現像する。
【０００８】
１０２３は転写ドラムであり、用紙カセット１０２４または１０２５より供給される用紙をこの転写ドラム１０２３に巻き付け、感光ドラム上に現像された像を用紙に転写する。
【０００９】
この様にして、Ｍ，Ｃ，Ｙ，Ｂｋの４色が順次転写された後に、用紙は、定着ユニット１０２６を通過して、トナーが用紙に定着された後に排紙される。
【００１０】
【発明が解決しようとする課題】
以上説明したような従来例では、基本的に原稿を読みとるイメージスキャナー部と複写画像を出力するプリンター部が同期して動作する必要がある。すなわちＣＣＤセンサーで読みとられたＲ、Ｇ、Ｂの画像信号は一画素ごとに信号処理部で処理されてＭ、Ｃ、Ｙ、Ｂｋに変換され、逐次プリンター部に送られて感光ドラム上にレーザーで書き込まれ複写画像を形成する。ただし、この従来例では画像形成を行うのはＭ、Ｃ、Ｙ、Ｂｋのいずれかひとつであり、各々について画像形成プロセスを繰り返すので、原稿の読み取りは４回連続に行われる。
【００１１】
また原稿の読み取り動作は必ずしも４回連続して行う必要はなく、一回だけ読み取った画像データを一時記憶手段に記憶してＭ、Ｃ、Ｙ、Ｂｋそれぞれの画像形成に同期して記憶された画像データを読み出し出力する構成も考えられる。
【００１２】
しかしながら、前者の構成においては画像データを記憶手段に記憶しておく必要は無いが、スキャナー部とプリンター部は同時に動作する必要があるため、例えばプリンター部の定着ユニット（通常の加熱定着タイプの場合）のヒーター部が十分に加熱されていない場合はプリンター部が待機状態となっているため、複写動作および原稿読みとり動作を行うことができない。また複数原稿を各々複数部複写する場合、一つの原稿を複数部出力に対応して複数回読みとるという動作を行う必要があり、これを複数原稿のそれぞれについて行わねばならず、そのために使用者が費やさなければならない時間は多大なものとなる。
【００１３】
後者の構成ではイメージスキャナはプリンター部とは同期せずに原稿読みとり動作を行うことができ、また複数部の複写出力の場合も原稿読みとり動作はひとつの原稿に対し１回行えばよいことになる。しかし、記憶手段に蓄積すべき画像データの容量は非常に膨大となるため、複数の原稿画像を同時に記憶するのは困難である。従って複数の原稿画像を一括して読み込み、読み込み終了後にページの入れ替えや複数原稿画像の合成出力、などを実現させようとすると膨大な記憶装置が必要となり現実的ではなくなる。また記憶されている画像データの拡大、縮小によるレイアウト合成などを行うことはできない。
【００１４】
本発明は上記点を解消することを目的とする。
【００１５】
【課題を解決するための手段】
本発明は、入力画像データから該画像データに応じた画像の特徴を示すフラグデータを生成する生成手段と、前記入力画像データと前記フラグデータに対して異なる手法を用いて圧縮する圧縮手段と、前記圧縮された画像データおよび前記圧縮されたフラグデータを記憶する画像データ記憶手段と、前記記憶手段に記憶された前記圧縮された画像データおよび前記圧縮されたフラグデータを伸長する伸長手段と、前記伸長された画像データおよび前記伸長されたフラグデータに対して異なる手法を用いて解像度変換を行う解像度変換手段と、前記解像度変換された画像データに対して、前記解像度変換されたフラグデータに応じた画像処理を行なう画像処理手段とを有することを特徴とする。
【００１６】
【発明の実施の形態】
〈第一の実施の形態〉
以下本発明の一実施例を図面を用いて説明する。
【００１７】
図１は本発明を実施するための構成の一例を示すブロック図である。
【００１８】
（読みとり部）
複写すべき原稿は１０１のスキャナー部の図示しない原稿載置台ガラス上におかれ読みとられる。スキャナー部１０１は図１０と同様、カラーの３ラインＣＣＤにより原稿画像を画素ごとにデジタル的に読みとって入力画像処理部１０２にカラー画像信号を転送する。入力画像処理１部１０２ではスキャナー部から送られてきたＲＧＢのカラー画像信号に対しシェーディング補正、ＣＣＤライン間補正、色補正など、周知の画像処理を行なう。
【００１９】
１０３は１０２から出力される入力画像処理済みのカラー画像信号に対し像域分離処理を行うブロックであり、入力画像の画素ごとに写真領域、文字領域、網点領域、といった画像の特徴を検出して、像域ごとの属性を表すフラグデータを生成する像域分離処理部である。
【００２０】
（像域分離処理）
ここで像域分離処理部について説明する。像域分離処理とは、原稿画像に含まれる画像の特徴に応じて最適な画像処理を施すために原稿画像の特徴を抽出して像域属性を示す信号（以後フラグデータという）を生成するために行われる。例えば原稿中には連続階調のフルカラーの写真領域や、黒一色の文字領域、あるいは新聞印刷のような網点印刷領域など、様々な画像領域が混在しているのが普通である。これらを一律に同一の画像処理手順で処理して出力すると、その出力画像は一般に好ましい画質が得られない場合が多い。そこで本第１の実施の形態では１０２から入力されるカラー画像信号を用いて原稿画像中に含まれる画像データの属性を検出し、それを識別するためのフラグデータを生成する。具体的な手順を図２に示す。
【００２１】
図２は原稿画像の一例を示すものであり、ひとつのページ２０１内に銀塩写真領域２０２、黒文字領域２０３、網点印刷領域２０４、カラーのグラフィック領域２０５が混在している様子を示している。ここでスキャナー部はこの原稿画像をカラーのＣＣＤセンサーによって走査し画素ごとのカラーデジタル信号（Ｒ，Ｇ，Ｂ）として読み取る。読み取られたＲＧＢ信号は画像の領域ごとの属性によって決まる特徴を持っている。各領域においてＣＣＤセンサーが読み取る信号値（Ｒ，Ｇ，Ｂ）のうちのＧ信号をＣＣＤの並び方向にプロットしてみると例えば図３のようになる。図３で３０２，３０３，３０４，３０５はそれぞれ図２の２０２から２０５までの領域を読み取った場合に特徴的に現れる特性の一例であり横軸はＣＣＤならび方向の画素位置、縦軸は読みとり信号値で上に行くほど白に近い（明るい）画素であることを表している。
【００２２】
各領域ごとの特徴を説明すると、２０２は銀塩写真領域であるので、読み取られる画像信号の位置による変化３０２は比較的ゆるやかであり、近距離の画素値の差分３１２は小さな値となる。３０３は黒文字領域２０３の特性であり、白地に黒い文字が書かれているので、その信号値のプロットは白地部３１３から文字部３２３にかけて急激に読み取り信号値が変化するような特性となる。３０４は網点領域２０４の特性であり、網点領域というのは白地３１４とその上に印刷された網点３２４との繰り返しとなるので信号値のプロットしたものは図のように白と黒が高い頻度で繰り返す特性となる。３０５はグラフ領域のプロット図である。グラフィックのエッジ部３１５では信号値は急激に小さくなり、内部の色塗り部分３１６は一定の中間レベルがつづくような特性となる。
【００２３】
これらの属性を判定するためには、上で説明したような領域ごとの特徴を読みとり信号値から検出して判定するようにすればよい。そのためには注目画素近傍での画像データの変化量あるいは変化量の一定区間内の積算値、周辺画素の輝度値（白地か色のついた背景か）、一定区間内の画像データの白から黒への変化の回数、など周知の手法を用いた特徴抽出手法を用い、それに基づいた周知の属性判別手法を用いることができる。
【００２４】
このようにして図２の原稿画像に対して生成された属性フラグの一例を図４に示す。ここでは属性フラグ（フラグデータ）として文字フラグ、図形フラグ、網点フラグの３種類のフラグを生成しているが、もちろんそれに限定されるわけではない。図４（ａ）は文字フラグであり図中の黒で表す画素が文字属性を持つ画素であり文字フラグ＝１が生成され、それ以外は文字フラグ＝０（図では白い部分）となっている。（ｂ）は図形フラグであり、グラフィック領域で１となりそれ以外で０となる領域、（ｃ）は網点フラグであり網点領域で１となりそれ以外で０となるような領域を表している。銀塩写真領域はこれらのいずれにもあてはまらないので、すべてのフラグが０となり、図４は表れてこないことになる。
【００２５】
以上の像域分離処理により画像の属性が画素ごとに検出されると、次に１０４の第二の入力画像処理部で画像属性に応じた画像処理が施される。ここでは例えば文字領域に対して画像の高周波成分を強調して文字の鮮鋭度を強調し、また網点領域に対してはいわゆるローパスフィルター処理を行い、デジタル画像に特有のモアレ成分を除去する、といった処理を行うことができる。これらの処理の切り替えを１０３で生成した属性フラグデータに応じて画素単位で行うことが可能である。
【００２６】
（画像データの蓄積）
スキャナーで読みとられ、種々の入力画像処理を施された画像データ、および上記の手順で生成された属性フラグデータはそれぞれ１０５の画像メモリー１および１０６のフラグメモリーに一時的に記憶される。このとき画像データおよび属性フラグデータは原稿１ページ分全体もしくは１ページのうちのあらかじめ決められたサイズ分の部分画像として記憶される。この記憶の構成により１ページのデータ量に応じて種々に変化する圧縮処理にかかる時間に相応する期間、画像データとフラグデータを独立に保持することが可能となる。
【００２７】
一時記憶された画像データおよび属性フラグデータは、データ圧縮部１０９で圧縮されて記憶装置１１０に記憶される。１１０は半導体記憶装置のような高速にデータ処理できる記憶手段であることが望ましい。またデータ圧縮部では画像データ、およびフラグデータに対し、それぞれ異なるデータ圧縮処理を行う。すなわち、画像データに対してはＪＰＥＧ圧縮のような非可逆であるが、人間の視覚特性を考慮して画像の劣化が目立たなくするような高能率の圧縮処理をほどこし、またフラグデータに対しては属性フラグ情報の欠落や変化が発生しないためにＪＢＩＧ圧縮のような可逆圧縮方式を用いるのが望ましい。かかる構成によりデータの種類に応じて、適切な圧縮方法を用いたデータ量の削減を実現できる。このようにして１１０には異なる圧縮処理を施された画像データおよびフラグデータが原稿１ページ単位で紀憶される。記憶されたデータはまた１１１の補助記憶装置に書き出す場合もある。補助記憶装置は望ましくはハードディスクのような、記録スピードは若干遅いが大容量のデータの記憶が可能な媒体を用いる。以上の様に半導体記憶装置に加えハードディスクの様な補助記憶装置を併用することで多数ページの原稿画像を効率的に記憶することができるようになる。
【００２８】
（画像データ読み出し）
１１０または１１１に記憶された画像データおよび属性フラグデータはプリント部から出力するために読み出され、それぞれ１１２のデータ伸長部で圧縮データの解凍が行われ、それぞれ１１４の画像メモリー２および１１５のフラグメモリー２に書き出される。このとき１１３の画素密度変換部では記憶された画像データの画素密度の変換を行う場合がある。これは、例えば蓄積された画像データを拡大、または縮小してプリント出力したい場合、あるいは蓄積された複数ページを１枚のプリント出力用紙上にレイアウト合成して出力したい、といった場合に使用される。
【００２９】
複数ページの合成出力は例えば図５に示すような場合である。すなわち２つの原稿画像５０１と５０２があらかじめ記憶装置に記憶されているものとする。これを原稿と同一サイズの出力用紙に２枚を合成して５０３のようなプリント出力を得ようとする場合である。そのために、まず記憶されている画像データ５０１を記憶手段から読み出し圧縮データの解凍を行い、１１３の画素密度変換部で所定の倍率で縮小し、かつ図示しない回転処理部で左９０度回転して画像メモリー２の所定の領域に書き込まれる（図５の５０４に相当する領域）。
【００３０】
次に画像データ５０２を読み出し、同様に解凍、解像度変換、回転処理を行い画像メモリー２の５０５に相当する領域に書き込む。このとき、原稿Ａ、Ｂに対応するフラグデータも同様に解凍、解像度変換、回転処理（画像データと同一倍率、同一回転処理）されフラグメモリー２の対応する領域に書き込まれる。この様に画像データと対応するフラグデータに対し同様に変倍回転処理するので、レイアウトプリントを行う際にもフラグデータに従った後述する適応的な画像処理が可能となる。ここで画像データの解像度変換とフラグデータの解像度変換はそれぞれ異なる手法を適用することが望ましい。例えば画像データに対しては線形補間法や双３次スプライン補間法などの周知の手法を適用することができる。またフラグデータの解像度変換には最近傍処理法などの２値データに適した解像度変換方法を用いることが望ましい。
【００３１】
以上の様に解像度変換についても、画像データ、フラグデータといったデータの種類に応じた補間を行うことで、精度のよい解像度変換後の画像データ、フラグデータの獲得が実現できる。
【００３２】
（画像データの出力）
画像メモリー２およびフラグメモリー２に一時的に記憶された画像データおよびフラグデータは所定のサイズに達すると出力画像処理部１１６に転送される。出力画像処理部１１６ではＲＧＢの画像データをプリント出力するための周知の画像処理、すなわち輝度濃度変換、ＲＧＢ→ＣＭＹＫ変換、ガンマ補正、２値化処理、などといった処理を行い、プリンター部１１７へ転送する。プリンター１１７は転送されたＣＭＹＫの画像信号によってレーザー駆動し図７と同様の手順で転写紙上に可視画像を形成し出力する。
【００３３】
ここでフラグメモリー２に記憶されたフラグデータは出力画像処理部１１６の処理の切り替えに用いられる。すなわち写真領域と文字領域ではＲＧＢ→ＣＭＹＫ変換のマスキング係数を異ならせることにより出力画像の画質を向上させることができる。例えば文字領域すなわち文字フラグ＝１である画素に対しては黒文字が黒トナーのみで再現できるような変換係数（すなわち画像データが無彩色の場合はＣ、Ｍ、Ｙ＝０となるような係数）を適用し、それ以外では無彩色であってもＣ、Ｍ、Ｙが０とならず、深みのある黒を再現できるような係数を用いることができる。また２値化処理においてはＣ、Ｍ、Ｙ、Ｋ信号を周知の誤差拡散処理やディザ処理を用いて０または１の２値信号に変換するが、このとき文字領域やグラフ領域では出力画像の鮮鋭度が優先されるので誤差拡散処理を適用し、写真や網点領域では階調性が重視されるのでディザ処理を適用する、というように２値化処理の内容を、やはり属性フラグデータにより切り替えることで出力画像の画質向上を図ることができる。
【００３４】
このときの構成のブロック図の一例を図６に示す。１１４の画像メモリー２、１１５のフラグメモリー２、およびプリンター部１１７は図１と同一である。画像メモリー２から読み出されたＲＧＢのカラー画像データは並列に６０１，６０２の２つのＲＧＢ→ＣＭＹＫ変換回路に入力され、それぞれ独立にＣＭＹＫ画像信号に変換される。６０１、６０２の出力はフラグメモリーのフラグ信号に従って６０３のセレクタ１でいずれか一方が選択される。６０１に文字領域用の変換係数が設定されておリ６０２にそれ以外の場合の係数が設定されている場合にはフラグメモリー内の文字フラグ＝１のときに６０１の出力を選択し、文字フラグ＝０のときは６０２の出力を選択する。
【００３５】
セレクタ１の出力は、やはり並列に２系統に分離され、一方は６０４のガンマ補正回路１と６０６の誤差拡散２値化処理部を通って２値のＣＭＹＫ信号として６０８のセレクタ２に入力される。もう一方は６０５のガンマ補正回路２、６０７のディザ処理２値化回路を通ってやはり２値のＣＭＹＫ信号として６０８のセレクタ２に入力される。
【００３６】
セレクタ２では６０６または６０７のいずれかの出力を選択してプリンター部へ転送するが、ここでは文字領域およびグラフ領域で誤差拡散処理を選択するので、文字フラグ＝１または図形フラグ＝１の場合セレクタ２は６０６の出力を選択し、そうでない場合は６０７の出力を選択するようにすればよい。
【００３７】
〈他の実施の形態〉
以上の説明では図１のスキャナー部１０１からの画像データの流れについて説明したが、同様に外部通信路１１９から通信インターフェース１１８を介して入力される画像データに対しても上記処理を適用できる。
【００３８】
１１９から送られてくる画像データとしてとして代表的なものはいわゆるＰＤＬ（ページ記述言語）で記述された画像データである。ここで入力されるＰＤＬデータは画像を記述するコマンド群であって、それを解釈してスキャナー読みとり画像と同様のビットマップデータに変換すれば第１の実施形態をそのまま適用可能である。
【００３９】
すなわち１１８から入力されたＰＤＬデータはインタープリター１０８でディスプレーリストと呼ばれる中間言語形式に変換される。このディスプレーリストを１０７のＲＩＰ（ラスター・イメージ・プロセッサー）に送り、ビットマップデータに展開する。展開された画像データは１０５の画像メモリー１に記憶されるが、このときＲＩＰ１０７は同時に展開した画像データの属性情報をフラグデータとして生成して１０６のフラグメモリー１に記憶させる。
【００４０】
ここでは第一の実施の形態で説明したような画像データを参照した像域分離処理によってフラグデータを生成する、という必要はなく、ＲＩＰに入力されるＰＤＬデータがその部品ごとに保持している属性情報（写真であるとか文字やグラフィックである、など）を参照して、展開画像の対応する画素のフラグデータを生成するようにすればよい。つまり文字部品を生成するＰＤＬコマンドがＲＩＰに入力されたら、ＲＩＰはこの文字データのビットマップ画像を生成すると同時に、文字が生成された領域に対応するフラグデータとして文字フラグ＝１を生成すればよいのである。以上により画像データおよびフラグデータが生成されたら、それ以降の処理は第一の実施例と全く同一に扱うことができる。その結果例えばスキャナーから読み取られた画像データとＰＤＬにより記述されたデータを合成してプリントを行う際に、同様な処理でフラグデータに応じた最適な文字領域、網点領域、写真領域のプリントが実現できる。
【００４１】
〈他の実施の形態２〉
以上の説明では画像データおよびフラグデータを圧縮することで記憶手段の資源を有効に活用しようとするものであったが、もちろん圧縮手段は実施例で説明した構成だけではなく、非圧縮も含めた他の圧縮方式を用いることも可能である。
【００４２】
〈本発明の他の実施形態〉
前述した実施形態の機能を実現するように前述した実施形態の構成を動作させるプログラムを記憶媒体に記憶させ、該記憶媒体に記憶されたプログラムをコードとして読み出し、本実施形態をクライアントコンピュータ及びサーバーコンピュータにおいて実行する処理方法も上述の実施形態の範疇に含まれるし、前述のプログラムが記憶された記憶媒体も上述の実施形態に含まれる。
【００４３】
かかる記憶媒体としてはたとえばフロッピーディスク、ハードディスク、光ディスク、光磁気ディスク、ＣＤ−ＲＯＭ、磁気テープ、不揮発性メモリカード、ＲＯＭを用いることができる。
【００４４】
また前述の記憶媒体に記憶されたプログラム単体で処理を実行しているものに限られず、他のソフトウェア、拡張ボードの機能と共同して、ＯＳ上で動作し前述の実施形態の動作を実行するものも前述した実施形態の範疇に含まれる。
【００４５】
【発明の効果】
本発明によれば、入力画像データとフラグデータに対して異なる手法を用いて圧縮するし記憶するので画像記憶の容量を削減しながらも高品位な画像出力を得ることができる。さらに、伸長された画像データと伸長されたフラグデータに対して異なる手法を用いて解像度変換することにより、解像度変換したとしても高品位な画像出力を得ることができる。
【図面の簡単な説明】
【図１】本発明を実施する構成の一例を示すブロック図である。
【図２】本発明に適用される原稿画像の一例である。
【図３】本発明の一実施例の像域分離処理を説明する図である。
【図４】本発明の一実施例のフラグデータを説明する図である。
【図５】本発明の一実施例のレイアウト合成出力を説明する図である。
【図６】本発明の出力画像処理構成の一例を説明する図である。
【図７】従来のカラー画像複写装置を説明する図である。
【図１】
0004474001.tif 000002
【図２】
0004474001.tif 000003
【図３】
0004474001.tif 000004
【図４】
0004474001.tif 000005
【図５】
0004474001.tif 000006
【図６】
0004474001.tif 000007
【図７】
0004474001.tif 000008